(57)【要約】      （修正有）【課題】非常用携帯端末から発信される非常事態の警報通知を、予め設定した区域に存在する近隣の住戸や携帯電話にて的確に警報発報し、この警報発報を確認した人物による迅速な対応を可能として防犯性及び安全性を高める。【解決手段】非常用携帯端末３ａ、３ｂ、３ｃ、３ｄ、・・・にて発生した非常事態の警報通知を、複数の固定端末Ａ、Ｂ、Ｃ、Ｄ、・・・を構成する子機１ａ、１ｂ、１ｃ、１ｄ、・・・及び親機２ａ、２ｂ、２ｃ、２ｄ、・・・のうち非常事態の当該非常用携帯端末にて生成される非常状態信号を受信した特定の当該子機及び当該親機のみならず、汎用ネットワーク４を経由して親機に接続されるサーバ５に予め設定した区域である例えば、同一の町内に存在する近隣の住戸に設置される当該子機及び当該親機と同様にサーバ５に予め設定した区域である例えば、同一の町内に存在する携帯電話６ａ、６ｂ、６ｃ、６ｄ、・・・にて的確に警報発報させる。【選択図】図１
2009182593.tif 000002
【特許請求の範囲】
【請求項１】
住戸毎に設置され有線の伝送路（Ｌ1）又は無線の伝送路（Ｌ2）を経由して接続される子機（１ａ、１ｂ、１ｃ、１ｄ、・・・）及び親機（２ａ、２ｂ、２ｃ、２ｄ、・・・）を有する複数の固定端末（Ａ、Ｂ、Ｃ、Ｄ、・・・）と、非常状態を警報通知するための非常状態信号を生成し個別の端末ＩＤを付加して前記子機に無線送信する非常用携帯端末（３ａ、３ｂ、３ｃ、３ｄ、・・・）と、前記親機を相互に接続するための汎用ネットワーク（４）と、前記非常用携帯端末からの前記非常状態信号が前記子機、前記有線の伝送路又は前記無線の伝送路、前記親機、前記汎用ネットワークを経由して伝送されるサーバ（５）とを設け、
前記子機には、前記非常用携帯端末から無線送信される前記非常状態信号を受信するための無線通信部（１０ａ）を備え、
前記親機には、前記子機の前記無線通信部にて受信された前記非常状態信号に自親機が有する親機ＩＤを付加して警報通知信号を生成するための親機制御部（２３）と、前記親機制御部にて生成された前記警報通知信号を前記汎用ネットワークに送出するためのネットワーク側親機通信部（２５）とを備え、
前記サーバは、前記親機の各親機ＩＤと、前記各親機ＩＤに割り当てられる前記親機の設置場所情報と、前記各親機ＩＤに関連付けて予め設定した区域に存在する近隣親機の各親機ＩＤとを予め蓄積しておき、前記警報通知信号に付加された前記親機ＩＤから前記警報通知信号を生成した当該親機の設置場所を特定し、前記予め設定した区域に設置される親機に前記非常状態の警報通知及び前記警報通知信号を生成した当該親機の設置場所情報の通知を行い警報発報することを特徴とするインターホンシステム。
【請求項２】
住戸毎に設置され有線の伝送路（Ｌ1）又は無線の伝送路（Ｌ2）を経由して接続される子機（１ａ、１ｂ、１ｃ、１ｄ、・・・）及び親機（２ａ、２ｂ、２ｃ、２ｄ、・・・）を有する複数の固定端末（Ａ、Ｂ、Ｃ、Ｄ、・・・）と、非常状態を警報通知するための非常状態信号を生成し個別の端末ＩＤを付加して前記子機に無線送信する非常用携帯端末（３ａ、３ｂ、３ｃ、３ｄ、・・・）と、前記親機を相互に接続するための汎用ネットワーク（４）と、前記非常用携帯端末からの前記非常状態信号が前記子機、前記有線の伝送路又は前記無線の伝送路、前記親機、前記汎用ネットワークを経由して伝送されるサーバ（５）とを設け、
前記子機には、前記非常用携帯端末から無線送信される前記非常状態信号を受信するための無線通信部（１０ａ）を備え、
前記親機には、前記子機の前記無線通信部にて受信された前記非常状態信号に自親機が有する親機ＩＤを付加して警報通知信号を生成するための親機制御部（２３）と、前記親機制御部にて生成された前記警報通知信号を前記汎用ネットワークに送出するためのネットワーク側親機通信部（２５）とを備え、
前記サーバは、前記親機の各親機ＩＤと、前記各親機ＩＤに割り当てられる前記親機の設置場所情報と、前記各親機ＩＤに関連付けて予め設定した区域に存在する携帯電話（６ａ、６ｂ、６ｃ、６ｄ、・・・）の各電話ＩＤとを予め蓄積しておき、前記警報通知信号に付加された前記親機ＩＤから前記警報通知信号を生成した当該親機の設置場所を特定し、前記予め設定した区域に存在する携帯電話に前記非常状態の警報通知及び前記警報通知信号を生成した当該親機の設置場所情報の通知を行い警報発報することを特徴とするインターホンシステム。
【請求項３】
前記親機の前記親機制御部は、前記非常状態の警報通知及び前記サーバにて特定される前記警報通知信号を生成した当該親機の設置場所情報の通知を、前記子機にて音響出力で警報発報することを特徴とする請求項１記載のインターホンシステム。
【請求項４】
前記サーバは、前記予め設定した区域に存在する携帯電話にて行う前記非常状態の警報通知及び前記警報通知信号を生成した当該親機の設置場所情報の通知を、メール等の電文出力で警報発報することを特徴とする請求項２記載のインターホンシステム。
【請求項５】
前記サーバは、前記予め設定した区域に存在する携帯電話にて行う前記非常状態の警報通知及び前記警報通知信号を生成した当該親機の設置場所情報の通知を、音響出力で警報発報することを特徴とする請求項２記載のインターホンシステム。
【請求項６】
住戸毎に設置され有線の伝送路（Ｌ101）又は無線の伝送路（Ｌ102）を経由して接続される子機（１０１ａ、１０１ｂ、１０１ｃ、１０１ｄ、・・・）及び親機（１０２ａ、１０２ｂ、１０２ｃ、１０２ｄ、・・・）を有する複数の固定端末（Ａ、Ｂ、Ｃ、Ｄ、・・・）と、非常状態を警報通知するための非常状態信号を生成し個別の端末ＩＤを付加して前記子機に無線送信する非常用携帯端末（３ａ、３ｂ、３ｃ、３ｄ、・・・）とを設け、
前記子機には、前記非常用携帯端末から無線送信される前記非常状態信号を受信するとともに、当該子機の相互で無線通信を行うための無線通信部（１０ｂ）を備え、
前記親機には、前記親機の各親機ＩＤ、前記各親機ＩＤに割り当てられる前記親機の設置場所情報、及び前記各親機ＩＤに関連付けて予め設定した区域に存在する近隣親機の各親機ＩＤが予め蓄積されたメモリ（２６）と、前記子機の前記無線通信部にて受信された前記非常状態信号に自親機が有する親機ＩＤ、前記メモリから読み出される前記予め設定した区域に存在する近隣親機の各親機ＩＤをそれぞれ付加した警報通知信号を生成し、前記子機の前記無線通信部から無線通信させるための親機制御部（２３）とを備え、
前記親機の前記親機制御部は、前記子機の前記無線通信部にて受信された前記警報通知信号に付加されている前記親機ＩＤから当該警報通知信号を生成した親機の設置場所を特定し、前記非常状態の警報通知及び前記警報通知信号を生成した当該親機の設置場所情報の通知を行い警報発報することを特徴とするインターホンシステム。
【請求項７】
前記親機の前記親機制御部は、前記子機の前記無線通信部にて受信された前記警報通知信号に付加されている前記親機ＩＤから当該警報通知信号を生成した親機の設置場所を特定し、前記非常状態の警報通知及び前記警報通知信号を生成した当該親機の設置場所情報の通知を、前記子機にて音響出力で警報発報することを特徴とする請求項６記載のインターホンシステム。
【発明の詳細な説明】
【技術分野】
【０００１】
本発明は、登下校中又は子供の遊び場等に居る児童や生徒を犯罪から守り、被害を最小限に抑えることができるインターホンシステムに係り、特に、児童や生徒による非常状態の警報通知を、予め設定した区域に存在する近隣の住戸や携帯電話にて的確に警報発報させるインターホンシステムに関する。
【背景技術】
【０００２】
従来から、この種のインターホンシステムとして、児童や生徒用の緊急通報装置が登下校する道沿いに設置されており、専用線を経由して所定の通報機関、例えば、学校内の職員室へ緊急通報を行っていたため、この緊急通報装置を登下校する道沿いに設置するにあたっては、新たな専用線を敷設して専用の端末が必要となりコストが増加していた。
【０００３】
そこで、緊急時の通報者が緊急通報の操作を行った通報器からのデータを、無線ネットワークを経由して所定の通報機関へ伝送させ、この通報機関にて通報者及び通報場所の特定が可能な緊急通報装置が開示されている。
【０００４】
【特許文献１】特開２００５−７９６８７号公報
【発明の開示】
【発明が解決しようとする課題】
【０００５】
背景技術に記載した特許文献１の緊急通報装置によれば、緊急通報の操作を行った通報器からのデータを子機で受信し、無線ネットワークを経由して所定の通報機関へ通知することができるものの、この通報機関がデータを受信した子機の近隣に存在していない場合には、短時間に駆けつける等の迅速な対応が困難であった。
【０００６】
また、背景技術に記載した特許文献１の緊急通報装置によれば、緊急通報の操作を行った通報器からのデータを受信した子機及び当該子機に接続される親機にて警報発報することができるものの、この警報発報が緊急通報の操作を行った通報器周辺の狭いエリア内に限定されていた。
【０００７】
さらに、背景技術に記載した特許文献１の緊急通報装置を、学校、ＰＴＡ、自治会等の連携性を有する所定の地域である例えば、「こども１１０番の家」の運動を行っている地域に設置した場合には、登下校中の児童や生徒を犯罪から守り、被害を最小限に抑えたい意思がある人物であっても、この人物が外出中であると、緊急通報の操作を行った通報器からの警報発報を確認できず、ゆえに、短時間に駆けつける等の迅速な対応も困難であった。
【０００８】
本発明は、これらの難点を解消するためになされたもので、非常用携帯端末から発信される非常事態の警報通知を、予め設定した区域に存在する近隣の住戸や携帯電話にて的確に警報発報し、この警報発報を確認した人物による迅速な対応を可能として防犯性及び安全性を高めたインターホンシステムを提供することを目的としている。
【課題を解決するための手段】
【０００９】
前述の目的を達成するため、本発明の第１の態様であるインターホンシステムは、住戸毎に設置され有線の伝送路又は無線の伝送路を経由して接続される子機及び親機を有する複数の固定端末と、非常状態を警報通知するための非常状態信号を生成し個別の端末ＩＤを付加して子機に無線送信する非常用携帯端末と、親機を相互に接続するための汎用ネットワークと、非常用携帯端末からの非常状態信号が子機、有線の伝送路又は無線の伝送路、親機、汎用ネットワークを経由して伝送されるサーバとを設けたものである。子機には、非常用携帯端末から無線送信される非常状態信号を受信するための無線通信部を備えている。親機には、子機の無線通信部にて受信された非常状態信号に自親機が有する親機ＩＤを付加して警報通知信号を生成するための親機制御部と、親機制御部にて生成された警報通知信号を汎用ネットワークに送出するためのネットワーク側親機通信部とを備えている。サーバは、親機の各親機ＩＤと、各親機ＩＤに割り当てられる親機の設置場所情報と、各親機ＩＤに関連付けて予め設定した区域に存在する近隣親機の各親機ＩＤとを予め蓄積しておき、警報通知信号に付加された親機ＩＤから警報通知信号を生成した当該親機の設置場所を特定し、予め設定した区域に設置される親機に非常状態の警報通知及び警報通知信号を生成した当該親機の設置場所情報の通知を行い警報発報するものである。
【００１０】
また、本発明の第２の態様であるインターホンシステムは、住戸毎に設置され有線の伝送路又は無線の伝送路を経由して接続される子機及び親機を有する複数の固定端末と、非常状態を警報通知するための非常状態信号を生成し個別の端末ＩＤを付加して子機に無線送信する非常用携帯端末と、親機を相互に接続するための汎用ネットワークと、非常用携帯端末からの非常状態信号が子機、有線の伝送路又は無線の伝送路、親機、汎用ネットワークを経由して伝送されるサーバとを設けたものである。子機には、非常用携帯端末から無線送信される非常状態信号を受信するための無線通信部を備えている。親機には、子機の無線通信部にて受信された非常状態信号に自親機が有する親機ＩＤを付加して警報通知信号を生成するための親機制御部と、親機制御部にて生成された警報通知信号を汎用ネットワークに送出するためのネットワーク側親機通信部とを備えている。サーバは、親機の各親機ＩＤと、各親機ＩＤに割り当てられる親機の設置場所情報と、各親機ＩＤに関連付けて予め設定した区域に存在する携帯電話の各電話ＩＤとを予め蓄積しておき、警報通知信号に付加された親機ＩＤから警報通知信号を生成した当該親機の設置場所を特定し、予め設定した区域に存在する携帯電話に非常状態の警報通知及び警報通知信号を生成した当該親機の設置場所情報の通知を行い警報発報するものである。
【００１１】
また、本発明の第３の態様であるインターホンシステムは、本発明の第１の態様において、親機の親機制御部は、非常状態の警報通知及びサーバにて特定される警報通知信号を生成した当該親機の設置場所情報の通知を、子機にて音響出力で警報発報するものである。
【００１２】
また、本発明の第４の態様であるインターホンシステムは、本発明の第２の態様において、サーバは、予め設定した区域に存在する携帯電話にて行う非常状態の警報通知及び警報通知信号を生成した当該親機の設置場所情報の通知を、メール等の電文出力で警報発報するものである。
【００１３】
また、本発明の第５の態様であるインターホンシステムは、本発明の第２の態様において、サーバは、予め設定した区域に存在する携帯電話にて行う非常状態の警報通知及び警報通知信号を生成した当該親機の設置場所情報の通知を、音響出力で警報発報するものである。
【００１４】
また、本発明の第６の態様であるインターホンシステムは、住戸毎に設置され有線の伝送路又は無線の伝送路を経由して接続される子機及び親機を有する複数の固定端末と、非常状態を警報通知するための非常状態信号を生成し個別の端末ＩＤを付加して子機に無線送信する非常用携帯端末とを設けたものである。子機には、非常用携帯端末から無線送信される非常状態信号を受信するとともに、当該子機の相互で無線通信を行うための無線通信部を備えている。親機には、親機の各親機ＩＤ、各親機ＩＤに割り当てられる親機の設置場所情報、及び各親機ＩＤに関連付けて予め設定した区域に存在する近隣親機の各親機ＩＤが予め蓄積されたメモリと、子機の無線通信部にて受信された非常状態信号に自親機が有する親機ＩＤ、メモリから読み出される予め設定した区域に存在する近隣親機の各親機ＩＤをそれぞれ付加した警報通知信号を生成し、子機の無線通信部から無線通信させるための親機制御部とを備えている。親機の親機制御部は、子機の無線通信部にて受信された警報通知信号に付加されている親機ＩＤから当該警報通知信号を生成した親機の設置場所を特定し、非常状態の警報通知及び警報通知信号を生成した当該親機の設置場所情報の通知を行い警報発報するものである。
【００１５】
また、本発明の第７の態様であるインターホンシステムは、本発明の第６の態様において、親機の親機制御部は、子機の無線通信部にて受信された警報通知信号に付加されている親機ＩＤから当該警報通知信号を生成した親機の設置場所を特定し、非常状態の警報通知及び警報通知信号を生成した当該親機の設置場所情報の通知を、子機にて音響出力で警報発報するものである。
【発明の効果】
【００１６】
本発明のインターホンシステムによれば、非常用携帯端末が非常状態になると、この非常用携帯端末にて生成された非常状態信号が無線通信で子機に送信され、当該子機に有線の伝送路又は無線の伝送路を経由して接続される親機にて受信される。また、親機は、受信した非常状態信号に自親機が有する親機ＩＤが付加した警報通知信号を生成し、汎用ネットワークを経由してサーバに送出する。ここで、サーバは、受信した警報通知信号に付加されている親機ＩＤに関連付けて予め設定された近隣親機の各親機ＩＤ及び携帯電話の各電話ＩＤと、警報通知信号を生成した親機の設置場所情報とをそれぞれ特定し、予め設定した区域、例えば、同一の町内に存在する近隣の住戸に設置された固定端末を構成する子機及び親機と、同様に予め設定した区域、例えば、同一の町内に存在する携帯電話にて的確に警報発報させることができる。
【００１７】
これにより、非常用携帯端末にて発生した非常事態の警報通知を、非常事態の当該非常用携帯端末にて生成される非常状態信号を受信した住戸の固定端末を構成する子機及び親機のみならず、予め設定した区域である例えば、同一の町内に存在する近隣の住戸に設置された固定端末を構成する子機及び親機と、同様に予め設定した区域である例えば、同一の町内に存在する携帯電話にて的確に警報発報させることができ、この警報発報を確認した人物は、短時間に駆けつけて救助等を行い迅速な対応が可能となるため、被害が最小限に抑えられて防犯性及び安全性が高められる。
【００１８】
また、本発明のインターホンシステムによれば、非常用携帯端末が非常状態になると、この非常用携帯端末にて生成された非常状態信号が無線通信で子機に送信され、当該子機に有線の伝送路又は無線の伝送路を経由して接続される親機にて受信される。ここで、親機は、受信した警報通知信号に付加されている親機ＩＤに関連付けて予め設定された近隣親機の各親機ＩＤと、警報通知信号を生成した親機の設置場所情報とをそれぞれ特定し、予め設定した区域、例えば、同一の町内に存在する近隣の住戸に設置された固定端末を構成する子機及び親機にて的確に警報発報させることができる。
【００１９】
これにより、非常用携帯端末にて発生した非常事態の警報通知を、非常事態の当該非常用携帯端末にて生成される非常状態信号を受信した住戸の固定端末を構成する子機及び親機のみならず、予め設定した区域である例えば、同一の町内に存在する近隣の住戸に設置された固定端末を構成する子機及び親機にて的確に警報発報させることができ、この警報発報を確認した人物は、短時間に駆けつけて救助等を行い迅速な対応が可能となるため、被害が最小限に抑えられて防犯性及び安全性が高められる。
【発明を実施するための最良の形態】
【００２０】
以下、本発明のインターホンシステムを適用した最良の実施の形態例について、図面を参照して説明する。
【００２１】
図１は、本発明の第１の実施例によるインターホンシステムの具体的な構成を示すブロック図である。このインターホンシステムには、学校、ＰＴＡ、自治会等の連携性を有する所定の地域である例えば、「こども１１０番の家」の運動を行っている地域における複数の住戸毎の住戸外、例えば、住戸玄関に設置され、来訪者が住戸内に在室中の居住者を呼び出して通話を成立させるための（複数の）子機１ａ、１ｂ、１ｃ、１ｄ、・・・と、住戸内に設置され、有線の伝送路Ｌ1又は無線の伝送路Ｌ2を経由して接続される子機１ａ、１ｂ、１ｃ、１ｄ、・・・とで住戸毎の複数の固定端末Ａ、Ｂ、Ｃ、Ｄ、・・・をそれぞれ構成し、自住戸の当該子機からの呼び出しに応答した居住者が通話を成立させるための（複数の）親機２ａ、２ｂ、２ｃ、２ｄ、・・・と、登下校中又は子供の遊び場等に居る児童や生徒により携行され、例えば、不審者による「声かけ」、「つきまとい」等の理由で身の危険や不安を感じたときに、この非常状態を示す非常状態信号を生成し、個別の端末ＩＤを付加して子機１ａ、１ｂ、１ｃ、１ｄ、・・・に無線送信するための（複数の）非常用携帯端末３ａ、３ｂ、３ｃ、３ｄ、・・・と、親機２ａ、２ｂ、２ｃ、２ｄ、・・・を相互に接続するための例えば、インターネット、公衆ＬＡＮ等で構成される汎用ネットワーク４と、汎用ネットワーク４に接続され、非常用携帯端末３ａ、３ｂ、３ｃ、３ｃ、３ｄ、・・・からの非常状態信号が、当該非常状態信号を受信した子機１ａ、１ｂ、１ｃ、１ｄ、・・・、有線の伝送路Ｌ1又は無線の伝送路Ｌ2、親機２ａ、２ａ、２ｃ、２ｄ、・・・、当該汎用ネットワークを経由して伝送される例えば、ＡＳＰ（Application Service Provider）サーバ等のサーバ５と、非常用携帯端末３ａ、３ｂ、３ｃ、３ｄ、・・・の非常状態を示す所定の警報発報（電文出力、音響出力）が行われる（複数の）携帯電話６ａ、６ｂ、６ｃ、６ｄ、・・・と、汎用ネットワーク４に接続され、携帯電話６ａ、６ｂ、６ｃ、６ｄ、・・・の制御、例えば、回線制御を行うための携帯電話制御機７とが設けられており、この携帯電話制御機７には、通常、携帯電話６ａ、６ｂ、６ｃ、６ｄ、・・・用の無線基地局が含まれている。
【００２２】
また、子機１ａ、１ｂ、１ｃ、１ｄ、・・・はそれぞれ同様な構成であり、無線通信部（以下、子機無線通信部という。）１０ａ、子機操作部１１、映像撮像部１２、子機通話部１３、子機制御部１４及び子機通信部１５が備えられている。
【００２３】
この子機１ａ、１ｂ、１ｃ、１ｄ、・・・において、子機無線通信部１０ａは、非常用携帯端末３ａ、３ｂ、３ｃ、３ｄ、・・・にて生成され無線送信されてくる非常状態信号を受信することが可能な所定の受信エリアを有しており、受信された非常状態信号を電気信号に信号変換して子機制御部１４に送出するためのものである。
【００２４】
子機操作部１１は、子機制御部１４によって操作検出され、住戸玄関に居る来訪者が住戸内に在室中の居住者を呼び出すために操作するものであり、例えば、呼出ボタンで構成されている。
【００２５】
映像撮像部１２は、子機制御部１４によって制御され、呼出操作を行った来訪者の映像や住戸玄関の周囲近傍の映像を撮像するためのものであり、例えば、ＣＣＤ、ＣＭＯＳ等の各種のカメラで構成されている。
【００２６】
子機通話部１３は、子機制御部１４によって制御され、来訪者が居住者との間で通話を成立させるための音声（送話音声、受話音声）を入出力するものであり、例えば、子機マイク１３０及び子機スピーカ１３１で構成されている。なお、子機スピーカ１３１は、前述の通話機能のみならず、自住戸の周囲近傍又は自住戸に予め設定されている区域、例えば、同一の町内に存在する近隣住戸における非常用携帯端末３ａ、３ｂ、３ｃ、３ｄ、・・・の非常状態を、所定の警報音や音声メッセージ等の音響出力で警報発報することができる。
【００２７】
子機制御部１４は、当該子機の構成各部を制御するためのものである。具体的な制御として子機制御部１４は、子機操作部１１の操作を検出して呼出信号を生成するとともに、映像撮像部１２が能動となるように制御することができる。また、子機制御部１４は、居住者による応答操作又は終話操作を検出して子機通話部１３が能動又は非能動となるように制御することができる。さらに、子機制御部１４は、自住戸の周囲近傍又は自住戸に予め設定されている区域、例えば、同一の町内に存在する近隣住戸における非常用携帯端末３ａ、３ｂ、３ｃ、３ｄ、・・・の非常状態を検出し、検出された情報を含む警報発報を、子機通話部１３を構成する子機スピーカ１３１を使用して行うことができる。
【００２８】
子機通信部１５は、映像撮像部１２から有線の伝送路Ｌ1又は無線の伝送路Ｌ2への信号伝送ラインと、子機通話部１３及び有線の伝送路Ｌ1の間の信号伝送ライン、或いは、子機通話部１３及び無線の伝送路Ｌ2の間の信号伝送ラインと、子機制御部１４及び有線の伝送路Ｌ1の間の信号伝送ライン、或いは、子機制御部１４及び無線の伝送路Ｌ2の間の信号伝送ラインとをそれぞれ形成するためのものである。
【００２９】
また、親機２ａ、２ａ、２ｃ、２ｄ、・・・はそれぞれ同様な構成で個別の親機ＩＤが割り当てられており、親機表示部２０、親機通話部２１、親機操作部２２、親機制御部２３、及び２つの親機通信部（以下、子機側親機通信部及びネットワーク側親機通信部という。）２４、２５が備えられている。
【００３０】
この親機２ａ、２ａ、２ｃ、２ｄ、・・・において、親機表示部２０は、親機制御部２３によって制御され、自住戸の住戸玄関に居る来訪者からの呼び出しを示す所定の呼出メッセージや絵データ等を呼出表示させて呼出発報するとともに、自住戸の子機１ａ、１ｂ、１ｃ、１ｄ、・・・の映像撮像部１２にて撮像された映像を出画し、さらには、自住戸の周囲近傍又は自住戸に予め設定されている区域、例えば、同一の町内に存在する近隣住戸における非常用携帯端末３ａ、３ｂ、３ｃ、３ｄ、・・・の非常状態を、所定の警報メッセージや絵データ等の警報表示で警報発報するためのものであり、例えば、ＬＣＤ、ＰＤＰ、ＴＦＴ、有機ＥＬディスプレイ等の各種のモニタで構成されている。また、親機表示部２０としては、前述の呼出表示や警報表示を、所定の色の点滅又は点灯で行うＬＥＤも好適とされる。
【００３１】
親機通話部２１は、親機制御部２３によって制御され、来訪者が居住者との間で通話を成立させるための音声（送話音声、受話音声）を入出力するものであり、例えば、親機マイク２１０及び親機スピーカ２１１で構成されている。なお、親機スピーカ２１１は、前述の通話機能のみならず、自住戸の住戸玄関に居る来訪者からの呼び出しがある旨の呼出状態を、所定の呼出音や音声メッセージ等の音響出力で呼出発報することができるとともに、自住戸の周囲近傍又は自住戸に予め設定されている区域、例えば、同一の町内に存在する近隣住戸における非常用携帯端末３ａ、３ｂ、３ｃ、３ｄ、・・・の非常状態を、所定の警報音や音声メッセージ等の音響出力で警報発報することができる。
【００３２】
親機操作部２２は、親機制御部２３によって操作検出され、自住戸の住戸玄関に居る来訪者からの呼び出しに応答し、親機通話部２１の使用による通話を成立させるための応答操作や、成立中の通話を終了させるための終話操作等を行うものであり、例えば、親機表示部２０の前面に配置されるタッチパネル上の通話ボタンや当該親機の筐体面に設けられる通話ボタンで構成されている。
【００３３】
親機制御部２３は、当該親機の構成各部を制御するためのものである。具体的な制御として親機制御部２３は、自住戸の住戸玄関に居る来訪者からの呼び出しがあることを検出し、その旨の呼出発報を、親機表示部２０及び親機通話部２１を構成する親機スピーカ２１１をそれぞれ使用して行うことができる。また、親機制御部２３は、自住戸の周囲近傍又は自住戸に予め設定されている区域、例えば、同一の町内に存在する近隣住戸における非常用携帯端末３ａ、３ｂ、３ｃ、３ｄ、・・・の非常状態を検出し、検出された情報を含む警報発報を、親機表示部２０及び親機通話部２１を構成する親機スピーカ２１１をそれぞれ使用して行うことができる。さらに、親機制御部２３は、親機操作部２２の使用による応答操作又は終話操作を検出し、親機通話部２１を能動又は非能動に制御することができる。
【００３４】
子機側親機通信部２４は、有線の伝送路Ｌ1又は無線の伝送路Ｌ2から親機表示部２０への信号伝送ラインと、親機通話部２１及び有線の伝送路Ｌ1の間の信号伝送ライン、或いは、親機通話部２１及び無線の伝送路Ｌ2の間の信号伝送ラインと、親機制御部２３及び有線の伝送路Ｌ1の間の信号伝送ライン、或いは、親機制御部２３及び無線の伝送路Ｌ2の間の信号伝送ラインとをそれぞれ形成するためのものである。また、ネットワーク側親機通信部２５は、親機制御部２３及び汎用ネットワーク４の間の信号伝送ラインを形成するためのものである。
【００３５】
また、非常用携帯端末３ａ、３ｂ、３ｃ、３ｄ、・・・はそれぞれ同様な構成で個別の端末ＩＤが割り当てられており、端末操作部３０、端末スピーカ３１、端末制御部３２及び無線通信部（以下、端末無線通信部という。）３３が備えられている。
【００３６】
この非常用携帯端末３ａ、３ｂ、３ｃ、３ｄ、・・・において、端末操作部３０は、端末制御部３２によって操作検出され、当該非常用携帯端末を携行している児童や生徒が、例えば、不審者による「声かけ」、「つきまとい」等の理由で身の危険や不安を感じたときに操作するためのものであり、例えば、非常ボタンで構成されている。
【００３７】
端末スピーカ３１は、端末制御部３２によって制御され、端末操作部３０が操作された旨の所定の警報音や音声メッセージ等を音響出力して警報発報するためのものである。
【００３８】
端末制御部３２は、当該非常用携帯端末を制御するためのものである。具体的な制御として端末制御部３２は、端末操作部３０の操作を検出して端末スピーカ３１から警報発報させるとともに、自端末が有する端末ＩＤを付加させた非常状態信号を生成することができる。ここで、端末ＩＤには、通常、非常用携帯端末３ａ、３ｂ、３ｃ、３ｄ、・・・を携行している児童や生徒の認証データとして、例えば、氏名や自宅の住所及び電話番号が含まれている。
【００３９】
端末無線通信部３３は、端末制御部３２にて生成される非常状態信号を無線信号に信号変換し、所定の受信エリア内に存在する子機１ａ、１ｂ、１ｃ、１ｄ、・・・に無線送信するためのものである。
【００４０】
また、サーバ５には、親機２ａ、２ｂ、２ｃ、２ｄ、・・・が有する各親機ＩＤと、各親機ＩＤに割り当てられる親機２ａ、２ｂ、２ｃ、２ｄ、・・・の設置場所情報としての例えば、住所情報と、各親機ＩＤに関連付けて予め設定した区域、例えば、同一の町内に存在する近隣親機の各親機ＩＤと、各親機ＩＤに関連付けて予め設定した区域、例えば、同一の町内に存在する携帯電話６ａ、６ｂ、６ｃ、６ｄ、・・・の各電話ＩＤとがそれぞれ蓄積されるサーバメモリ５０が備えられており、このサーバメモリ５０は、例えば、ＲＡＭ、ＥＥＰＲＯＭ等の各種の記憶媒体で構成される。
【００４１】
さらに、携帯電話６ａ、６ｂ、６ｃ、６ｄ、・・・はそれぞれ同様な構成で個別の電話ＩＤが割り当てられており、電話表示部６０及び電話スピーカ６１が備えられている。
【００４２】
この携帯電話６ａ、６ｂ、６ｃ、６ｄ、・・・において、電話表示部６０は、非常用携帯端末３ａ、３ｂ、３ｃ、３ｄ、・・・の非常状態及び前述の警報通知信号を生成した親機２ａ、２ｂ、２ｃ、２ｄ、・・・の設置場所情報の通知を、メール等の電文表示で警報発報するためのものであり、例えば、ＬＣＤ、ＰＤＰ、ＴＦＴ、有機ＥＬディスプレイ等の各種のモニタで構成されている。
【００４３】
電話スピーカ６１は、非常用携帯端末３ａ、３ｂ、３ｃ、３ｄ、・・・の非常状態及び前述の警報通知信号を生成した親機２ａ、２ｂ、２ｃ、２ｄ、・・・の設置場所情報の通知を、所定の警報音や音声メッセージ等の音響出力で警報発報するためのものである。
【００４４】
このように構成された本発明の第１の実施例によるインターホンシステムにおいて、以下、具体的な動作について説明する。
【００４５】
図１において、非常用携帯端末３ａ、３ｂ、３ｃ、３ｄ、・・・を携行して登下校中又は子供の遊び場等に居る児童や生徒のうち、ここでは、非常用携帯端末３ａを携行している児童や生徒は、例えば、不審者による「声かけ」、「つきまとい」等の理由で身の危険や不安を感じたときに端末操作部３０を操作する。この操作を検出した非常用携帯端末３ａの端末制御部３２は、所定の警報音や音声メッセージ等を端末スピーカ３１から音響出力させて警報発報することにより、不審者に対して威嚇することができるばかりでなく、非常用携帯端末３ａを携行している児童や生徒の周囲で、端末スピーカ３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００４６】
また、非常用携帯端末３ａの端末制御部３２は、自端末が有する端末ＩＤを付加した非常状態信号を生成する。この非常状態信号は、端末無線通信部３３にて電気信号から無線信号に信号変換された後、子機１ａ、１ｂ、１ｃ、１ｄ、・・・のうち当該無線信号を受信可能な所定の受信エリアに存在する少なくとも１の当該子機の子機無線通信部１０ａにて受信される。ここでは、子機１ａの子機無線通信部１０ａにて受信されたものとし、この子機無線通信部１０ａは、受信された非常状態信号を電気信号に信号変換して子機制御部１４に送出する。
【００４７】
子機１ａの子機制御部１４は、受信され非常状態信号に付加されている端末ＩＤをもとに、非常用携帯端末３ａが非常状態であることを、この非常用携帯端末３ａを携行している児童や生徒の認証データである例えば、氏名や自宅の住所及び電話番号とともに検出し、検出された情報を含む所定の警報音や音声メッセージ等を、子機通話部１３を構成する子機スピーカ１３１から音響出力させて警報発報することにより、子機１ａが設置された住戸玄関の周囲で、子機スピーカ１３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００４８】
また、子機１ａの子機制御部１４は、受信された非常状態信号を、子機通信部１５、有線の伝送路Ｌ1又は無線の伝送路Ｌ2、自住戸の住戸内に設置された親機２ａの子機側親機通信部２４を経由して親機制御部２３に送出する。
【００４９】
親機２ａの親機制御部２３は、受信された非常状態信号に付加されている端末ＩＤをもとに、非常用携帯端末３ａが非常状態であることを、この非常用携帯端末３ａを携行している児童や生徒の認証データである例えば、氏名や自宅の住所及び電話番号とともに検出し、検出された情報を含む所定の警報メッセージや絵データ等を親機表示部２０に表示させるとともに、同様の情報を含む所定の警報音や音声メッセージ等を、親機通話部２１を構成する親機スピーカ２１１から音響出力させて警報発報することにより、親機２ａが設置された住戸内に居住者が在室中であった場合には、この居住者が住戸外に出て短時間に駆けつけ救助を行う等の迅速な対応が可能となるため、児童や生徒を犯罪から守ることで被害が最小限に抑えられて防犯性及び安全性が高められ、必要に応じて警察等の所定の機関に通報することもできる。
【００５０】
また、親機２ａの親機制御部２３は、受信された非常状態信号に自親機が有する親機ＩＤを付加させた警報通知信号を生成する。この警報通知信号は、親機２ａの親機制御部２３からネットワーク側親機通信部２５、汎用ネットワーク４を経由してサーバ５に伝送される。
【００５１】
ここで、サーバ５のサーバメモリ５０には、親機２ａ、２ｂ、２ｃ、２ｄ、・・・が有する各親機ＩＤと、各親機ＩＤに割り当てられる親機２ａ、２ｂ、２ｃ、２ｄ、・・・の設置場所情報としての例えば、住所情報と、各親機ＩＤに関連付けて予め設定した区域である例えば、同一の町内に存在する近隣親機の各親機ＩＤと、各親機ＩＤに関連付けて予め設定した区域である例えば、同一の町内に存在する携帯電話６ａ、６ｂ、６ｃ、６ｄ、・・・の各電話ＩＤとがそれぞれ予め蓄積されているため、当該サーバは、受信した警報通知信号に付加されている親機ＩＤをもとに、親機２ａの設置場所としての例えば、住所情報と、近隣親機の各親機ＩＤとして、ここでは、親機２ｂ、２ｃが有する各親機ＩＤと、各電話ＩＤとして、ここでは、携帯電話６ａ、６ｂが有する各電話ＩＤとをそれぞれ特定することができる。
【００５２】
また、サーバ５は、サーバメモリ５０から読み出した前述の設置場所情報（住所情報）、近隣親機の各親機ＩＤ及び各電話ＩＤのうち、設置場所情報（住所情報）及び近隣親機の各親機ＩＤを警報通知信号に付加して親機用警報通知転送信号を生成するとともに、設置場所情報（住所情報）及び各電話ＩＤを警報通知信号に付加して電話用警報通知転送信号を生成する。ここで、親機用警報通知転送信号は、サーバ５から汎用ネットワーク４、全ての親機２ａ、２ｂ、２ｃ、２ｄ、・・・のネットワーク側親機通信部２５を経由して親機制御部２３にそれぞれ伝送される。一方、電話用警報通知転送信号は、サーバ５から汎用ネットワーク４、携帯電話制御機７を経由して全ての携帯電話６ａ、６ｂ、６ｃ、６ｄ、・・・にそれぞれ伝送される。
【００５３】
全ての親機２ａ、２ｂ、２ｃ、２ｄ、・・・の親機制御部２３はそれぞれ、汎用ネットワーク４を経由してサーバ５から伝送されてきた親機用警報通知転送信号に付加されている近隣親機の各親機ＩＤと自親機が有する親機ＩＤとを照合し、当該親機ＩＤが一致した場合にのみ、非常用携帯端末３ａが非常状態であることを、この非常用携帯端末３ａを携行している児童や生徒の認証データである例えば、氏名や自宅の住所及び電話番号とともに検出し、さらには、児童や生徒が、親機２ａが住戸内に設置された当該住戸の住戸玄関の周囲近傍に居ることを併せて検出することができ、検出された情報を含む所定の警報メッセージや絵データ等を親機表示部２０に表示させるとともに、同様の情報を含む所定の警報音や音声メッセージ等を、親機通話部２１を構成する親機スピーカ２１１から音響出力させて警報発報する。ここでは、全ての親機２ａ、２ｂ、２ｃ、２ｄ、・・・のうち、前述の警報通知信号を生成した親機２ａの親機ＩＤに関連付けて予め設定されている近隣親機の各親機ＩＤと一致する親機２ｂ、２ｃにてそれぞれ、前述の警報発報が行われることにより、この親機２ｂ、２ｃが設置される各住戸内に居住者が在室中であった場合には、子機１ａが設置された住戸玄関の周囲近傍へ短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００５４】
また、親機２ａ、２ｂの親機制御部２３はそれぞれ、受信した親機用警報通知転送信号を、子機側親機通信部２４、有線の伝送路Ｌ1又は無線の伝送路Ｌ2、子機１ｂ、１ｃの子機通信部１５を経由して子機制御部１４に送出する。この親機用警報通知転送信号を受信した子機１ｂ、１ｃの子機制御部１４はそれぞれ、非常用携帯端末３ａが非常状態であることを、この非常用携帯端末３ａを携行している児童や生徒の認証データである例えば、氏名や自宅の住所及び電話番号とともに検出し、検出された情報を含む所定の警報音や音声メッセージ等を、子機通話部１３を構成する子機スピーカ１３１から音響出力させて警報発報することにより、親機２ｂ、２ｃが設置された住戸内に居住者が不在であった場合でも、子機１ｂ、１ｃが設置された住戸玄関の周囲で、子機スピーカ１３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００５５】
前述までの説明から明らかなように、本発明の第１の実施例によれば、非常用携帯端末３ａ、３ｂ、３ｃ、３ｄ、・・・にて発生した非常事態の警報通知を、複数の固定端末Ａ、Ｂ、Ｃ、Ｄ、・・・を構成する子機１ａ、１ｂ、１ｃ、１ｄ、・・・及び親機２ａ、２ｂ、２ｃ、２ｄ、・・・のうち非常事態の当該非常用携帯端末にて生成される非常状態信号を受信した特定の当該子機及び当該親機のみならず、汎用ネットワーク４を経由して親機２ａ、２ｂ、２ｃ、２ｄ、・・・に接続されるサーバ５に予め設定した区域である例えば、同一の町内に存在する近隣の住戸に設置される当該子機及び当該親機と、同様にサーバ５に予め設定した区域である例えば、同一の町内に存在する携帯電話６ａ、６ｂ、６ｃ、６ｄ、・・・にて的確に警報発報させることができる。これにより、警報発報を確認した人物は、短時間に駆けつけて救助等の迅速な対応が可能となるため、児童や生徒を犯罪から守ることで被害が最小限に抑えられて防犯性及び安全性が高められ、必要に応じて警察等の所定の機関に通報することもできる。
【００５６】
次に、前述の第１の実施例と同様な効果、警報発報を確認した人物の短時間の駆けつけによる救助等の迅速が対応を可能となり、児童や生徒を犯罪から守ることで被害が最小限に抑えられて防犯性及び安全性が高められる別途のインターホンシステムについて、以下、本発明の第２の実施例によるインターホンシステムとして、図２のブロック図を参照して説明する。なお、第２の実施例において、第１の実施例にて開示した同一の作用・効果を有する構成各部については、同一の符号を付与して説明は省略するものとする。
【００５７】
図２に示すインターホンシステムには、学校、ＰＴＡ、自治会等の連携性を有する所定の地域である例えば、「こども１１０番の家」の運動を行っている地域における複数の住戸毎の住戸外、例えば、住戸玄関に設置され、来訪者が住戸内に在室中の居住者を呼び出して通話を成立させるための（複数の）子機１０１ａ、１０１ｂ、１０１ｃ、１０１ｄ、・・・と、住戸内に設置され、有線の伝送路Ｌ101又は無線の伝送路Ｌ102を経由して接続される子機１０１ａ、１０１ｂ、１０１ｃ、１０１ｄ、・・・とで住戸毎の複数の固定端末Ａ、Ｂ、Ｃ、Ｄ、・・・をそれぞれ構成し、自住戸の当該子機からの呼び出しに応答した居住者が通話を成立させるための（複数の）親機１０２ａ、１０２ｂ、１０２ｃ、１０２ｄ、・・・と、登下校中又は子供の遊び場等に居る児童や生徒により携行され、例えば、不審者による「声かけ」、「つきまとい」等の理由で身の危険や不安を感じたときに、この非常状態を示す非常状態信号を生成し、個別の端末ＩＤを付加して子機１０１ａ、１０１ｂ、１０１ｃ、１０１ｄ、・・・に無線送信するための（複数の）非常用携帯端末３ａ、３ｂ、３ｃ、３ｄ、・・・とが設けられている。
【００５８】
また、子機１０１ａ、１０１ｂ、１０１ｃ、１０１ｄ、・・・はそれぞれ同様な構成であり、子機無線通信部１０ｂ、子機操作部１１、映像撮像部１２、子機通話部１３、子機制御部１４及び子機通信部１５が備えられている。
【００５９】
この子機１０１ａ、１０１ｂ、１０１ｃ、１０１ｄ、・・・において、子機無線通信部１０ｂは、非常用携帯端末３ａ、３ｂ、３ｃ、３ｄ、・・・にて生成され無線送信されてくる非常状態信号を受信することが可能な所定の受信エリアを有しており、受信された非常状態信号を電気信号に信号変換して子機制御部１４に送出するとともに、自子機の近隣（周囲近傍）に存在する他の当該子機との間で信号の無線送受信を行うことが可能な所定の送受信エリアを有しており、電気信号である後述する警報通知信号を無線信号に信号変換して送受信するためのものである。
【００６０】
また、親機１０２ａ、１０２ｂ、１０２ｃ、１０２ｄ、・・・はそれぞれ同様な構成で個別の親機ＩＤが割り当てられており、親機表示部２０、親機通話部２１、親機操作部２２、親機制御部２３、親機通信部２４及び親機メモリ２６が備えられている。
【００６１】
この親機１０２ａ、１０２ｂ、１０２ｃ、１０２ｄ、・・・において、親機メモリ２６は、親機１０２ａ、１０２ｂ、１０２ｃ、１０２ｄ、・・・が有する各親機ＩＤと、各親機ＩＤに割り当てられる親機１０２ａ、１０２ｂ、１０２ｃ、１０２ｄ、・・・の設置場所情報としての例えば、住所情報と、各親機ＩＤに関連付けて予め設定した区域に存在する近隣親機の各親機ＩＤとが予め蓄積されるものであり、例えば、ＲＡＭ、ＥＥＰＲＯＭ等の各種の記憶媒体で構成されている。
【００６２】
このように構成された本発明の第２の実施例によるインターホンシステムにおいて、以下、具体的な動作について説明する。
【００６３】
図２において、非常用携帯端末３ａ、３ｂ、３ｃ、３ｄ、・・・を携行して登下校中又は子供の遊び場等に居る児童や生徒のうち、ここでは、非常用携帯端末３ａを携行している児童や生徒は、例えば、不審者による「声かけ」、「つきまとい」等の理由で身の危険や不安を感じたときに端末操作部３０を操作する。この操作を検出した非常用携帯端末３ａの端末制御部３２は、所定の警報音や音声メッセージ等を端末スピーカ３１から音響出力させて警報発報することにより、不審者に対して威嚇することができるばかりでなく、非常用携帯端末３ａを携行している児童や生徒の周囲で、端末スピーカ３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００６４】
また、非常用携帯端末３ａの端末制御部３２は、自端末が有する端末ＩＤを付加した非常状態信号を生成する。この非常状態信号は、端末無線通信部３３にて電気信号から無線信号に信号変換された後、子機１０１ａ、１０１ｂ、１０１ｃ、１０１ｄ、・・・のうち当該無線信号を受信可能な所定の受信エリアに存在する少なくとも１の当該子機の子機無線通信部１０ｂにて受信される。ここでは、子機１０１ａの子機無線通信部１０ｂにて受信されたものとし、この子機無線通信部１０ｂは、受信された非常状態信号を電気信号に信号変換して子機制御部１４に送出する。
【００６５】
子機１０１ａの子機制御部１４は、受信され非常状態信号に付加されている端末ＩＤをもとに、非常用携帯端末３ａが非常状態であることを、この非常用携帯端末３ａを携行している児童や生徒の認証データである例えば、氏名や自宅の住所及び電話番号とともに検出し、検出された情報を含む所定の警報音や音声メッセージ等を、子機通話部１３を構成する子機スピーカ１３１から音響出力させて警報発報することにより、子機１０１ａが設置された住戸玄関の周囲で、子機スピーカ１３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００６６】
また、子機１０１ａの子機制御部１４は、受信された非常状態信号を、子機通信部１５、有線の伝送路Ｌ101又は無線の伝送路Ｌ102、自住戸の住戸内に設置された親機１０２ａの親機通信部２４を経由して親機制御部２３に送出する。
【００６７】
親機１０２ａの親機制御部２３は、受信された非常状態信号に付加されている端末ＩＤをもとに、非常用携帯端末３ａが非常状態であることを、この非常用携帯端末３ａを携行している児童や生徒の認証データである例えば、氏名や自宅の住所及び電話番号とともに検出し、検出された情報を含む所定の警報メッセージや絵データ等を親機表示部２０に表示させるとともに、同様の情報を含む所定の警報音や音声メッセージ等を、親機通話部２１を構成する親機スピーカ２１１から音響出力させて警報発報することにより、親機１０２ａが設置された住戸内に居住者が在室中であった場合には、この居住者が住戸外に出て短時間に駆けつけ救助を行う等の迅速な対応が可能となるため、児童や生徒を犯罪から守ることで被害が最小限に抑えられて防犯性及び安全性が高められ、必要に応じて警察等の所定の機関に通報することもできる。
【００６８】
また、親機１０２ａの親機制御部２３は、親機１０２ａ、１０２ｂ、１０２ｃ、１０２ｄ、・・・が有する各親機ＩＤと、各親機ＩＤに割り当てられる親機１０２ａ、１０２ｂ、１０２ｃ、１０２ｄ、・・・の設置場所情報としての例えば、住所情報と、各親機ＩＤに関連付けて予め設定した区域に存在する近隣親機の各親機ＩＤとが親機メモリ２６に予め蓄積されているため、受信した非常状態信号に付加されている親機ＩＤをもとに、親機１０２ａの設置場所としての例えば、住所情報と、近隣親機の各親機ＩＤとして、ここでは、親機１０２ｂ、１０２ｃが有する各親機ＩＤとをそれぞれ特定することができる。
【００６９】
さらに、親機１０２ａの親機制御部２３は、親機メモリ２６から読み出した前述の設置場所情報（住所情報）及び近隣親機の各親機ＩＤを非常状態信号に付加して警報通知信号を生成する。この警報通知信号は、親機１０２ａの親機制御部２３から親機通信部２４、有線の伝送路Ｌ101又は無線の伝送路Ｌ102、子機１０１ａの子機通信部１５、子機制御部１４を経由して子機無線通信部１０ｂに伝送され、無線通信部１０ｂにて電気信号から無線信号に信号変換された後、子機１０１ａを除く他の子機１０１ｂ、１０１ｃ、１０１ｄ、・・・のうち当該無線信号を受信可能な所定の送受信エリアに存在する少なくとも１の当該子機の無線通信部１０ｂにて受信される。ここでは、子機１０１ｂ、１０１ｃ、１０１ｄの無線通信部１０ｂにてそれぞれ受信されたものし、これら無線通信部１０ｂは、受信された警報通知信号を電気信号に信号変換して子機制御部１４に送出する。
【００７０】
子機１０１ｂ、１０１ｃ、１０１ｄの子機制御部１４はそれぞれ、受信した警報通知信号を、子機通信部１５、有線の伝送路Ｌ101又は無線の伝送路Ｌ102、親機１０２ｂ、１０２ｃ、１０２ｄの親機通信部２４を経由して親機制御部２３に送出する。
【００７１】
親機１０２ｂ、１０２ｃ、１０２ｄの親機制御部２３はそれぞれ、自住戸の子機１０１ｂ、１０１ｃ、１０１ｄ及び子機１０１ａを経由して親機１０２ａから伝送されてきた警報通知信号に付加されている親機ＩＤと自親機が有する親機ＩＤとを照合し、当該親機ＩＤが一致した場合にのみ、非常用携帯端末３ａが非常状態であることを、この非常用携帯端末３ａを携行している児童や生徒の認証データである例えば、氏名や自宅の住所及び電話番号とともに検出し、さらには、児童や生徒が子機１０１ａが設置された住戸玄関の周囲近傍に居ることを併せて検出することができ、検出された情報を含む所定の警報メッセージや絵データ等を親機表示部２０に表示させるとともに、同様な情報を含む所定の警報音や音声メッセージ等を、親機通話部２１を構成する親機スピーカ２１１から音響出力させて警報発報する。ここでは、親機１０２ｂ、１０２ｃ、１０２ｄのうち、前述の警報通知信号を生成した親機１０２ａの親機ＩＤに関連付けて予め設定された近隣親機の各親機ＩＤと一致する親機１０２ｂ、１０２ｃにてそれぞれ、前述の警報発報が行われることにより、この親機１０２ｂ、１０２ｃが設置された各住戸内に居住者が在室中であった場合には、子機１０１ａが設置された住戸玄関の周囲近傍へ短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００７２】
また、親機１０２ｂ、１０２ｃの親機制御部２３はそれぞれ、受信した警報通知信号を、親機通信部２４、有線の伝送路Ｌ101又は無線の伝送路Ｌ102、子機１０１ｂ、１０１ｃの子機通信部１５を経由して子機制御部１４に送出する。この警報通知信号を受信した子機１０１ｂ、１０１ｃの子機制御部１４はそれぞれ、非常用携帯端末３ａが非常状態であることを、この非常用携帯端末３ａを携行している児童や生徒の認証データである例えば、氏名や自宅の住所及び電話番号とともに検出し、検出された情報を含む所定の警報音や音声メッセージ等を、子機通話部１３を構成する子機スピーカ１３１から音響出力させて警報発報することにより、親機１０２ｂ、１０２ｃが設置された住戸内に居住者が不在であった場合でも、子機１０１ｂ、１０１ｃが設置された住戸玄関の周囲で、子機スピーカ１３１からの音響出力の可聴範囲である近傍に、学校、ＰＴＡ、自治会等の連携性を有する所定の地域である例えば、「こども１１０番の家」の運動を行っている地域の人物が居た場合には、短時間に駆けつけて救助を行う等の迅速な対応が可能となるため、児童や生徒を犯罪から守ることで被害が最小限に抑えられて防犯性及び安全性が高められ、必要に応じて警察等の所定の機関に通報することもできる。
【００７３】
前述までの説明から明らかなように、本発明の第２の実施例によれば、非常用携帯端末３ａ、３ｂ、３ｃ、３ｄ、・・・にて発生した非常事態の警報通知を、複数の固定端末Ａ、Ｂ、Ｃ、Ｄ、・・・を構成する子機１０１ａ、１０１ｂ、１０１ｃ、１０１ｄ、・・・及び親機１０２ａ、１０２ｂ、１０２ｃ、１０２ｄ、・・・のうち非常事態の当該非常用携帯端末にて生成される非常状態信号を受信した特定の当該子機及び当該親機のみならず、当該親機の親機メモリ２６に予め設定・蓄積した区域である例えば、同一の町内に存在する近隣の住戸に設置される当該子機及び当該親機にて的確に警報発報させることができる。これにより、警報発報を確認した人物は、短時間に駆けつけて救助等の迅速な対応が可能となるため、児童や生徒を犯罪から守ることで被害が最小限に抑えられて防犯性及び安全性が高められ、必要に応じて警察等の所定の機関に通報することもできる。
【００７４】
最後に、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。例えば、前述の第１、第２の各実施例においては、非常用携帯端末３ａ、３ｂ、３ｃ、３ｄ、・・・を携行する人物として、登下校中又は子供の遊び場等に居る児童や生徒を適用したが、この態様に限定されるものではない。具体的には、夜間帯に帰宅途中の女性に非常用携帯端末３ａ、３ｂ、３ｃ、３ｄ、・・・を携行させ、不審者による「声かけ」、「つきまとい」のみならず、「痴漢行為」等の理由で身の危険や不安を感じたときに、その非常状態を示す非常状態信号を生成する態様であってもよい。
【図面の簡単な説明】
【００７５】
【図１】本発明の第１の実施例によるインターホンシステムの具体的な構成を示すブロック図。
【図２】本発明の第２の実施例によるインターホンシステムの具体的な構成を示すブロック図。
【符号の説明】
【００７６】
Ａ、Ｂ、Ｃ、Ｄ、・・・ ……（複数の）固定端末
１ａ、１ｂ、１ｃ、１ｄ、・・・……子機
１０ａ……子機無線通信部（無線通信部）
２ａ、２ｂ、２ｃ、２ｄ、・・・……親機
２３……親機制御部
２５……ネットワーク側親機通信部
１０１ａ、１０１ｂ、１０１ｃ、１０１ｄ、・・・ ……子機
１０ｂ……子機無線通信部（無線通信部）
１０２ａ、１０２ｂ、１０２ｃ、１０２ｄ、・・・……親機
２３……親機制御部
２６……親機メモリ（メモリ）
３ａ、３ｂ、３ｃ、３ｄ、・・・ ……非常用携帯端末
４……汎用ネットワーク
５……サーバ
６ａ、６ｂ、６ｃ、６ｄ、・・・ ……携帯電話
Ｌ1、Ｌ101……有線の伝送路
Ｌ2、Ｌ102……無線の伝送路
【図１】
2009182593.tif 000003
【図２】
2009182593.tif 000004